(57)【特許請求の範囲】
【請求項１】
遊技機に固定される筺体と、
前記筺体の内部に上下移動が可能に設けられる移動体と、
前記移動体を上方へと付勢する付勢部材と、
前記筺体の内部に設けられる光源と、
前記筺体の内部に設けられ前記移動体の上下移動を検知する検知手段と、を備え、
前記移動体は、
中空で上部が開口し内部に前記光源の発する光を反射する光反射部材が設けられるとともに上縁部に側方に張り出すレール片を備えたリフレクタと、上方からの押圧を受けて前記移動体に前記上下移動を行わせ、前記開口を塞ぐように装着される透光性を有する押圧部材と、を含んでなり、
前記押圧部材は、前記リフレクタの開口を覆う天板と、前記天板の前側から下方に張り出す前縁部及び前記天板の側部から下方に張り出す一対の側縁部を備えた蓋周縁部と、前記前縁部及び一対の前記側縁部の下部から前記リフレクタ側にそれぞれ突出し前記レール片の下に配置される第１の突起と、を備えるとともに、前記天板の後縁部には前記蓋周縁部が形成されておらず、前記押圧を受けて前記上下移動するときの方向とは異なる方向から、前記レール片に沿ってスライド移動するように構成されており、
前記レール片に沿って前記押圧部材をスライド移動させ、前記リフレクタの開口を完全に覆ったとき、前記蓋周縁部の前縁部及び一対の前記側縁部の各前記第１の突起は、前記レール片にそれぞれ係合されるとともに、前記押圧部材のスライド開方向の移動を規制する規制部を有することを特徴とする、遊技機用の照光式押圧スイッチ。
【請求項２】
前記押圧部材と前記リフレクタとの間に、前記開口よりも大径の光拡散膜をさらに備えていることを特徴とする、請求項１に記載の遊技機用の照光式押圧スイッチ。
【発明の詳細な説明】
【技術分野】
【０００１】
本発明は、遊技機用の照光式押圧スイッチに関する。
【背景技術】
【０００２】
パチンコやパチスロなどに代表される遊技機では、遊技者が操作して遊技を実行する押圧スイッチが遊技機の操作パネル上に設けられている。この押圧スイッチは、賭け率を選択したり、回転しているリールを停止させたり、遊技玉（メダル）の補給・排出を行ったり、チャンススイッチと呼ばれる遊技の演出を多用化させたりする手段として用いられている。
さらに、これら押圧スイッチは、光源を内蔵させて押圧面を照光させることにより、多彩な色を発光・点滅させて発光装飾を行ったり、遊技者に対し操作を示唆して、遊技機の趣向を凝らす工夫がなされている。
【０００３】
このような遊技機に好適に用いられる照光式押圧スイッチとしては、操作性の観点から押圧面の面積が大きいことと、装飾性の観点から押圧面の照光むらが少ないことが望まれる。
【０００４】
ところで従来からの遊技機には、内筒部材、レンズ、および拡散シートからなる操作部材を備えるものが提案されている。
例えば、特許文献１の段落００２６には、「内筒部材３３の上部において、上方から赤色透明色をしたレンズ３６を、楕円形をして発光器５３が発光した光を拡散させる拡散シート３７を介して嵌め込み可能に形成」された遊技機のスイッチ装置が記載されている。
【先行技術文献】
【特許文献】
【０００５】
【特許文献１】特開２００５−１１８４４８号公報（図２などを参照）
【発明の概要】
【発明が解決しようとする課題】
【０００６】
しかしながら、従来の遊技機用の照光式押圧スイッチには、次のような問題があった。
すなわち、特許文献１に記載の照光式押圧スイッチは内筒部材の上方からレンズを拡散シートを介して嵌め込む構成であった（特許文献１の段落００２６を参照）。このため、遊技者らによって遊技機がいわゆるゴト行為と呼ばれる不正ないたずらの標的とされた場合に、例えばドライバでレンズを上下に持ち上げるようにして内筒部材との嵌め込みを解除して取り外すなどの破壊行為の被害にあってしまうことがあった。
【０００７】
そこで本発明は、ゴト行為と呼ばれる不正ないたずらへの対抗性を備えた遊技機用の照光式押圧スイッチを提供することを目的とする。
【課題を解決するための手段】
【０００８】
本発明は、遊技機に固定される筺体と、前記筺体の内部に上下移動が可能に設けられる移動体と、前記移動体を上方へと付勢する付勢部材と、前記筺体の内部に設けられる光源と、前記筺体の内部に設けられ前記移動体の上下移動を検知する検知手段と、を備え、前記移動体は、中空で上部が開口し内部に前記光源の発する光を反射する光反射部材が設けられるとともに上縁部に側方に張り出すレール片を備えたリフレクタと、上方からの押圧を受けて前記移動体に前記上下移動を行わせ、前記開口を塞ぐように装着される透光性を有する押圧部材と、を含んでなり、前記押圧部材は、前記リフレクタの開口を覆う天板と、前記天板の前側から下方に張り出す前縁部及び前記天板の側部から下方に張り出す一対の側縁部を備えた蓋周縁部と、前記前縁部及び一対の前記側縁部の下部から前記リフレクタ側にそれぞれ突出し前記レール片の下に配置される第１の突起と、を備えるとともに、前記天板の後縁部には前記蓋周縁部が形成されておらず、前記押圧を受けて前記上下移動するときの方向とは異なる方向から、前記レール片に沿ってスライド移動するように構成されており、前記レール片に沿って前記押圧部材をスライド移動させ、前記リフレクタの開口を完全に覆ったとき、前記蓋周縁部の前縁部及び一対の前記側縁部の各前記第１の突起は、前記レール片にそれぞれ係合されるとともに、前記押圧部材のスライド開方向の移動を規制する規制部を有することを特徴とする。
【０００９】
この構成によれば、本発明にかかる照光式押圧スイッチの押圧部材は、リフレクタに対して、押圧される方向とは異なる方向、すなわち、押圧を受けて上下に移動する方向とは異なる方向からスライド移動するようにして装着される。これによって、遊技機が遊技者らのいわゆるゴト行為と呼ばれる不正ないたずらの標的とされた場合であっても、照光式押圧スイッチが破壊されない。もう少し詳しく説明すると、例えばドライバで押圧部材を上下に持ち上げて取り外そうとしても、嵌め込み方向が押圧方向とは異なっている。ゆえに、照光式押圧スイッチが破壊されてしまうことはない。 
【発明の効果】
【００１０】
本発明によれば、ゴト行為と呼ばれる不正ないたずらへの対抗性を備えた遊技機用の照光式押圧スイッチを提供することができる。
【図面の簡単な説明】
【００１１】
【図１】本発明の一実施形態にかかる遊技機用の照光式押圧スイッチが適用されたパチンコ機の操作パネル部分の拡大斜視図である。
【図２】本発明の一実施形態にかかる照光式押圧スイッチが、遊技機の操作パネルに、組立時に装着される直前の状態を示す斜視図である。
【図３】本発明の一実施形態にかかる照光式押圧スイッチ２０の分解斜視図である。
【図４】（ａ）は本発明の一実施形態にかかる照光式押圧スイッチ２０を組み立てた場合の縦断面方向を示す図、（ｂ）は（ａ）のＡ−Ａ矢視断面図、（ｃ）は（ａ）のＢ−Ｂ矢視断面図である。
【図５】（ａ）〜（ｃ）は本発明の一実施形態にかかる照光式押圧スイッチの組立工程をそれぞれ説明する図である。
【図６】（ａ），（ｂ）は本発明の一実施形態にかかる照光式押圧スイッチの組立工程をそれぞれ説明する図である。
【図７】（ａ）〜（ｆ）は本発明の一実施形態にかかる照光式押圧スイッチの透明蓋がリフレクタと係り合う様子をそれぞれ説明する図である。
【発明を実施するための形態】
【００１２】
以下、本発明の一実施形態にかかる遊技機用の照光式押圧スイッチについて、適宜図面を参照しながら、パチンコやパチスロなどの遊技機のチャンスボタンに適用する場合を例に挙げて説明する。但し、これはあくまで実施形態の一例を示したものにすぎない。つまり、本発明の実施形態は、遊技機のストップボタンや、ベットボタンなどに適用することもできる。
また、説明の便宜上、各図面で共通する部材には同一の符号を付して、重複する説明を省略する。また、図を簡略化して分かりやすく描くために、おのおので要素部品の記載を一部省略している場合がある。前後上下左右の方向軸については、各図の記載によるものとする。
【００１３】
図１は、本発明にかかる遊技機用の照光式押圧スイッチ２０が適用される遊技機１０として例示するパチンコ機の操作パネル１３の部分を拡大して示す斜視図である。
パチンコ機は、遊技者の視覚により認識される表示パネル１２と、遊技者が操作する操作パネル１３とが支持枠１１により保持されて構成されている。
【００１４】
押圧スイッチ２０ａは、出球の回収皿１４から貯留皿１６への配送を、遊技者が自発的に実行するための操作スイッチである。
押圧スイッチ２０ｂは、このようにして配送されて貯留皿１６に貯留した出球を外部（図示略の箱）に向けて排出させる操作スイッチである。
押圧スイッチ２０ｃは、遊技の演出を多用化さるための操作スイッチである。
これら押圧スイッチ２０（２０ａ，２０ｂ，２０ｃ）は、遊技者に押圧されることにより所定の操作を実行するとともに、かかる操作を遊技者に示唆したり遊技機１０を発光装飾したりするために、操作パネル１３から露出する押圧面が照光するようになっている。
なお、打球レバー１５は、回収皿１４に一旦回収された獲得した玉を、再び弾き出す操作を行うレバ―である。
【００１５】
図２はこれら照光式押圧スイッチ２０（２０ａ，２０ｂ，２０ｃ）のうち例えば照光式押圧スイッチ２０ｃが、操作パネル１３に、組立時に装着される直前の状態を示す斜視図である。なお、照光式押圧スイッチ２０ｃは回収皿１４（図１参照）の側面の操作パネル１３に設置されたスイッチである。また、図２は便宜上照光式押圧スイッチ２０ｃを水平な操作パネル１３に対して装着する場合で示している。しかし操作パネル１３は水平面には特に限定されず、例えば所定の傾斜形状を有する曲面であってもよい。また、以下の説明において、照光式押圧スイッチ２０ａ，２０ｂ，２０ｃを特に区別しない場合、照光式押圧スイッチ２０と表記する。
照光式押圧スイッチ２０は、透明蓋（押圧部材）３１と、筐体２２と、外部端子２５（図３などを参照）とを備えている。
【００１６】
透明蓋３１は例えば透光性を有する素材で形成され、遊技者が押圧する押圧面２１を備えている。ここで押圧面２１の形状は特に限定されない。例えば押圧面２１は図２に示すように５角形状を呈するようにしてもよい。
【００１７】
筐体２２は、後記する各種構成部品（図３参照）をその内部に収容し、操作パネル１３に形成された固定孔１９に挿入される。
フランジ部２３は筐体２２の縁端から外側に延び出るようにして設けられている。フランジ部２３は、固定孔１９の周縁を操作パネル１３の厚み方向に挟み、筐体２２を操作パネル１３に対して確実に嵌め、留めさせるものである。
【００１８】
外部端子２５（図２では不図示。図３などを参照）は、遊技機１０（図１参照）の本体内部または照光式押圧スイッチ２０の制御器（図示せず）から延びる配線１７の先端に設けられている接続端子１８と接続する。外部端子２５は筐体２２の底面の開口部に設けられ、下方から接続端子１８を接続可能にされている（図６（ｂ）も併せて参照）。このように構成される外部端子２５は、照光式押圧スイッチ２０の光源５２（図３などを参照）が発光するのに必要な電力を供給したり、押圧状態または非押圧状態を識別する信号を出力したりするものである。
なお、図２中の符号６２は係止凹部であり、符号７２は位置決め突起であり、符号６３は係入孔であり、符号７１は係入片である（詳細後記）。
【００１９】
図３は照光式押圧スイッチ２０の分解斜視図である。図４（ａ）は組立完了後の縦断面方向を示す図、図４（ｂ）は図４（ａ）のＡ−Ａ矢視断面図、図４（ｃ）は図４（ａ）のＢ−Ｂ矢視断面図である。以下の説明では適宜図３および図４（ｂ）〜図４（ｃ）を相互に参照されたい。また他の図面と共通する部材には同一の符号を付して、重複する説明を省略する。
図３に示されるように照光式押圧スイッチ２０は、光透過部３０と、移動子４０と、電装部５０と、底面部７０と、付勢部材３４とを含んで構成されている。
【００２０】
光透過部３０は、透明蓋３１と、光拡散膜３２とを含んで構成されている。光透過部３０は、移動子４０（図５（ｂ）参照）に固定されたリフレクタ４１の開口Ｓを覆うように設けられる。光透過部３０は光源５２から発せられた光、または光源５２からリフレクタ４１の内部の反射面（光反射部材）４２で反射されてこの開口Ｓに達した光を透過する。そして、押圧面２１を照光させるものである。
【００２１】
透明蓋３１は、その周縁のうち前周縁部分に、押圧面２１に対して移動子４０の移動方向に延び出た蓋周縁部３６が設けられている。ここで、前周縁部分とは、全周縁部分から後縁部３９を除いた部分（つまり、蓋周縁部３６＝前縁部３７＋側縁部３８）を意味するものとする。換言すると、透明蓋３１は、押圧される天板２１ａの周縁部のうちの一部から、または前記押圧される天板２１ａの周縁部のうちスライド移動方向前方部分を除く部分から、下方へと延び出た側壁である蓋周縁部３６を備えている。なお透明蓋３１は、光を減衰させることなく透過させるとともに、遊技者の操作（繰り返し押打）に耐えられるよう充分な機械的強度を有する材質で構成されている。
そして、透明蓋３１が、リフレクタ４１の上を滑るようにして、例えば透明蓋３１をリフレクタ４１の前方から後方に向けて、横からスライドさせるようにして挿入する。つまり、本実施形態にかかる透明蓋３１はリフレクタ４１に対して、例えば押圧方向（上下方向）とは異なる方向、すなわち押圧方向とは略垂直となる方向（前後方向）にスライドさせて挿入する。そして透明蓋３１の係入孔（孔部）３３とリフレクタ４１の係入片４８とが係り合うことによって、光透過部３０とリフレクタ４１とが一体化する（詳細後記）。
【００２２】
光拡散膜３２は、その形状がリフレクタ４１の開口Ｓよりも若干大きくなるように切り出された形状を呈している。また、光拡散膜３２は光透過部３０の透明蓋３１の押圧面２１とは反対側の面と、リフレクタ４１との間に介装される。光拡散膜３２は光が入射するとその進行方向に対しさらに多方向に光が拡散する部材である。これによって、仮に光拡散膜３２に入射する光の押圧面２１方向の面分布に多少のむらがあったとしても、光拡散膜３２を透過すれば光の面分布は均一化される。これによって、遊技者からは光拡散膜３２が全面にわたって照光しているように見える。
【００２３】
リフレクタ４１は、反射面（光反射部材）４２と、係合片４５と、被検板４７（図４（ｃ）も参照）とを含んで構成されている。リフレクタ４１には、下方に移動子４０が締結部材５４によって固定される。ここで移動子４０は下方から付勢部材３４の付勢力を受けるようにされている。つまり、遊技者が透明蓋３１の押圧面２１を押圧すると、移動子４０を付勢している付勢部材３４の付勢力に抗するようにして、透明蓋３１と、透明蓋３１に係り合ったリフレクタ４１と、透明蓋３１とリフレクタ４１の間に挿入された光拡散膜３２と、移動子４０とが一体となって動く。
【００２４】
リフレクタ４１の反射面４２は、開口Ｓから望む上面視において中央部が窪んだ形状を呈している。また、リフレクタ４１の反射面４２は、前記した中央部の窪みの部分が切り欠かれ、反射面４２の開口Ｓから望む上面視において光源５２が見通せるようにされている。つまり、反射面４２は、光源５２から開口Ｓに向かって末広がりに形成されている。さらに反射面４２および光透過部３０に囲まれる空間部は、光源５２から発せられる光が通過する部分となっている。この光源５２から発せられる光は、この空間部の内部で繰り返し多重反射して、最終的に開口Ｓから光透過部３０を透過して押圧面２１を照光させる。
なお、リフレクタ４１の反射面４２の表面には、反射光が効果的に散乱するように公知の光学的なレンズカット（不図示）が施されていてもよい。
【００２５】
そして、この光透過部３０とリフレクタ４１および移動子４０とは、押圧状態において、光透過部３０の透明蓋３１のレール係合突起（第１の突起）３５（図４（ｂ），図４（ｃ）を参照）が、筐体２２の側筒部６０の上端縁に設けられたフランジ部２３（図３）に接するように構成されている。これにより、往復する移動子４０の下死点の位置が規定されることになる。
なお、ここで上死点および下死点とは、厳密に移動子４０の最上位位置および最下位位置を指すわけではなく、ある程度のあそびも含む概念である。
【００２６】
また係合片４５はリフレクタ４１の反射面４２からその押圧時の移動方向に向かって延び出て形成されている。係合片４５は筺体２２の側筒部６０の内側面から筺体２２の内部に向かって突出する被係合片２４（図４（ｂ）参照）に係り合い、往復する移動子４０の上死点の位置を規定するものである。すなわち、非押圧状態において移動子４０は、付勢部材３４が反発する方向に付勢力を受けるが、この係合片４５が被係合片２４に係り合うことにより、その上死点を超えて移動することが止められる。
さらに、係合片４５はその撓み方向（図３の左右方向）に弾性変形する。これによって、リフレクタ４１と筺体２２との組み付け時には、図３の下方向矢印が示す方向にリフレクタ４１の係合片４５を筺体２２の側筒部６０の内部に挿入するだけで完了する。このようにして、両者の組み付けおよび分解が容易な構造となっている。
【００２７】
なお、リフレクタ４１は、係合片４５の一部が筐体２２の側筒部６０の内周面と軽く接するようにしてもよい。このようにすると、照光式押圧スイッチ２０を操作して押圧状態、非押圧状態を繰り返す際に、往復する移動子４０を筐体２２に対し円滑に案内できるので好適である。
【００２８】
被検板４７（図４（ｃ）を併せて参照）は、リフレクタ４１のいずれかの部位に一端が固定されて設けられたものであって、移動子４０に連動して移動する。そして、照光式押圧スイッチ２０が押圧された状態において電装部５０の検知手段５３に検知されるように位置調整されているものである（詳細は図４（ｃ）で後記）。
ここで、検知手段５３は、赤外光の発光素子５３ａとその受光素子５３ｂとが対向するように配置されてなる透過型光センサである。そして、照光式押圧スイッチ２０が非押圧状態にあるときは、発光素子５３ａの赤外光は受光素子５３ｂに検出された状態にあり、押圧状態にあるときは、被検板４７がこのＵ字形状の窪み部分に位置し、赤外光が検出されない状態となる。このように検知手段５３は、赤外光の検出の有無に対応させて照光式押圧スイッチ２０の非押圧状態および押圧状態を判別する信号を出力するようになっている。
このように、照光式押圧スイッチ２０の非押圧状態および押圧状態を判別する手段としては本実施形態において例示したように無接触方式であることが好ましい。しかし、特にこれに限定されるものではなく電気接点方式のような接触方式を採用してもよい。
【００２９】
電装部５０は、基板５１の上に光源５２と検知手段５３とさらに前記した外部端子２５とが設けられ、筐体２２の底面側の凹部に装着される（図５（ａ）も併せて参照）。ここで、凹部の内周形状は電装部５０の外周形状と隙間なく一致するようにされている。このように電装部５０は電装部品関係を一つの基板にまとめて装備するようにして、筐体２２に固定される構成をとる。このため、照光式押圧スイッチ２０の全体構成を単純化することができる。また、その組み立ての簡易化および小型（薄型）化に寄与することができる。
【００３０】
光源５２は、例えばその光軸が上向きに来るように基板５１上に配置されている。この光源５２は、例えば高輝度のＬＥＤ（light-emitting diode）素子であってもよいし、その他の発光素子であってもよい。
この光源５２は、外部端子２５を経由して供給される電力により点灯する。さらには、図示しない制御装置により連続点灯や間欠点灯などを任意に設定できるようにしてもよい。また、光源５２は、検知手段５３からの判別信号に対応させて点灯させることも可能である。さらには、光源５２自身が様々な色を発色するようにしてもよい。また複数の相互に異なる色の光源５２を設けて順次交代で点灯させて、照光する押圧面２１の色を変化させることも可能である。さらに複数の異色の光源５２を同時に点灯させることによって、多様な色彩の色を調色して照光させるようにすることもできる。
【００３１】
側筒部６０は、筐体２２のうち側面部を形成するのもであって、係止凹部６２と、係入孔６３と、フランジ部２３と、被係合片２４とを含んで構成されている。
【００３２】
底面部７０は、筐体２２の底面を形成するものである。底面部７０の周縁から突起した形状の係入片７１が、側筒部６０に形成されている係入孔６３に係合留めされる。これにより、側筒部６０および底面部７０が一体化して筐体２２が形成される。この際、底面部７０の前後方向に設けられた位置決め突起７２（図３では前面側の位置決め突起７２のみ図示）が側筒部６０の前後方向に設けられた係止凹部６２（図３では前面側の係止凹部６２のみ図示）に係合留めされる。以上によって筺体２２に対する底面部７０の上下方向の位置決めがなされる。
なお、前記した付勢部材３４は底面部７０に設けられた板状部７４の上に載置される。板状部７４の略中心には付勢部材３４を支持するガイドポール７３が上方に向けて延び出している。このようにすることで、ガイドポール７３が付勢部材３４の内側から付勢部材３４の前後左右方向への位置ずれを規制することができる。
また、中空で上部が開口Ｓし内部に前記光源５２の発する光を反射する反射面４２（光反射部材）が設けられたリフレクタ４１と、開口Ｓを塞ぐように装着される透明蓋３１とは、特許請求の範囲の移動体を構成する。
【００３３】
そして、照光式押圧スイッチ２０の組立工程としては、図３に示すように、まずリフレクタ４１を筺体２２の上方から重ねるようにして押圧・挿入する。そうすると、前記した通りリフレクタ４１に設けられた係合片４５が撓んで、摺れながら筺体２２の内周面に挿入される。そして筺体２２に設けられた被係合片２４と係り合うことによって、リフレクタ４１と筺体２２との係り合い状態が実現される（図４（ｂ）も併せて参照）。なお、図３ではリフレクタ４１の右側に備えられた係合片４５が示されているが、係合片４５はリフレクタ４１の左右両側に１つずつ設けられている（図３では左側の係合片４５はわずかに下端が見えるのみである）。但し係合片４５の位置および設置数は特にこれに限定されない。
【００３４】
次に、図４（ｂ）を参照しながら、透明蓋３１とリフレクタ４１との係り合い部分、すなわち、蓋周縁部３６、レール係合突起（突起）３５、レール片４４について説明する。
透明蓋３１の前記した前周縁部分には、リフレクタ４１の上縁部であるレール片４４の外側を覆うように下方に延び出た蓋周縁部３６が形成されている。なお、透明蓋３１の後縁部３９には蓋周縁部３６は形成されていない（図４（ｃ）を併せて参照）。これは、後縁部３９は蓋周縁部３６を設けないようにすることで、透明蓋３１を前から後ろにスライドさせてリフレクタ４１に挿入可能にするためである。また、リフレクタ４１のレール片４４の形状は、蓋周縁部３６，レール係合突起３５によって透明蓋３１を横からスライドさせながら係り合い可能な形状であれば、特には限定されない。このようにすることで、透明蓋３１のリフレクタ４１に対する上下方向の動きはレール係合突起３５によって規制される。また、透明蓋３１の後方および左右方向の動きは、蓋周縁部３６によって規制される。なお、透明蓋３１の前方への動きは、後記する係止片（第２の突起）４８（図７（ｆ）参照）によって規制される。以上により透明蓋３１とリフレクタ４１との係り合いが実現される。
【００３５】
次に、光拡散膜３２の大きさについて説明する。図４（ｂ）に示すように、本実施形態にかかる照光式押圧スイッチ２０の光拡散膜３２は、リフレクタ４１の開口Ｓよりも大きな形状を呈している（図４（ｃ）も併せて参照）。このようにすることで、光源５２から発せられた光をより広範囲に拡散させて透明蓋３１をより広範囲に照光させることができる。なお、光拡散膜３２と透明蓋３１の押圧される天板２１ａとの間にはわずかに窪んだ隙間が設けられているが、この窪みはなくてもよい。この窪みは透明蓋３１をリフレクタ４１から取り外して光拡散膜３２を交換する際に、光拡散膜３２を窪み方向に押圧して湾曲させて摘み出しやすくするためのものである。なお、光拡散膜３２には適宜装飾のための文字や絵などをプリントすることができる。ゆえに、例えば光拡散膜３２の図柄を異なったものに定期的に交換するなどして、遊技者を飽きさせずいつも楽しませるようにすることができる。また、光拡散膜３２を交換しない場合は、窪みの部分にレンズカットを施して、透過光をさらに多重反射させるようにしてもよい。
【００３６】
次に、引き続き図４（ｂ）を参照しながら、リフレクタ４１と筺体２２との係り合い部分、すなわち、リフレクタ４１の係合片４５と、筺体２２の被係合片２４について説明する。
図４（ｂ）に示すように、リフレクタ４１は左右に係合片４５をそれぞれ１つずつ備えている。係合片４５は例えば反射面４２の途中部分から略下方に延びるようにされ、下端部に外側（筺体２２側）に向けて突出する突起が形成されている。但し、特にこれには限定されない。係合片４５の突起は、筺体２２の側筒部６０に設けられた被係合片２４と係り合う。被係合片２４の形状は側筒部６０から略矩形に直角に屈曲するようにして形成され内側（係合片４５側）に凸形状を呈している。そして、被係合片２４が係合片４５と係り合うことで、被係合片２４の位置がリフレクタ４１の上死点の位置となるようにされている。リフレクタ４１は、図３で説明したように筺体２２の上方から押圧して装着される。この際、係合片４５は被係合片２４に接して一端内側に撓む。そして、さらに挿入が進むと、係合片４５の突起が被係合片２４を離れるタイミングで撓みが解消されて元の形状に復帰して、係り合いが完了する。以上のようにして、リフレクタ４１と筺体２２との係り合いが実現される。
【００３７】
次に、図４（ｃ）を参照しながら、本発明の一実施形態にかかる照光式押圧スイッチ２０によって遊技者の押圧が検知される仕組みについて説明する。
照光式押圧スイッチ２０が非押圧状態を示す場合は、移動子４０は付勢部材３４が反発する方向に付勢される。このとき、移動子４０が固定されたリフレクタ４１の係合片４５が側筒部６０に設けられている被係合片２４に係り合う（図４（ｂ）などを参照）。ゆえに押圧面２１はフランジ部２３から押圧ストローク（実線矢印）の分だけ突出した位置の上死点で静止することになる（図４（ｃ）参照）。
この非押圧状態では、被検板４７は、検知手段５３（５３ａ，５３ｂ）により検知されない状態にあるので、その旨を判別した信号が外部端子２５（図４（ｂ）参照）から出力される。
なお、被検板４７の形状は、本実施形態では例えばリフレクタ４１の前面側の反射面の下端から下向きに板状に延び出している。そして、検知手段５３の発光素子５３ａ、受光素子５３ｂの間に降下して赤外線を遮断できるようにされている。但し、特にこれには限定されない。また、検知手段５３の配置に関しても、発光素子５３ａと受光素子５３ｂの位置を前後方向で反転させて設置してもよい。
【００３８】
図４（ｃ）の白抜き矢印に示すように、照光式押圧スイッチ２０が押圧されると、透明蓋３１とリフレクタ４１と移動子４０とは、付勢部材３４の付勢力に抗して押圧される。このとき、透明蓋３１のレール係合突起３５が筺体２２のフランジ部２３と接することで、押圧面２１は下死点となる。このようにして、透明蓋３１とリフレクタ４１と移動子４０は静止する。
この押圧状態では、リフレクタ４１に備えられた被検板４７も押圧ストローク分だけ検知手段５３（５３ａ，５３ｂ）の内部に降下することになる（図４（ｃ）の実線矢印参照）。そして、検知手段５３が発する赤外線を被検板４７が遮断して、押圧状態が検知される。このようにして押圧状態を検知した信号が、外部端子２５（図４（ａ）などを参照）を介して不図示の制御手段などに向けて出力される。
【００３９】
次に、図５（ａ），図５（ｂ），図５（ｃ）を参照しながら、本発明の一実施形態にかかる照光式押圧スイッチの組立工程の続きを説明する。図５（ａ）〜図５（ｃ）はいずれも、リフレクタ４１を筺体２２に係り合わせた状態で、上下に反転させて後ろ上方から見た場合の斜視図である。
図５（ａ）に示すように、筺体２２の底面側には電装部５０の外周形状と隙間なく一致するようにされた凹部の収納部が設けられている（図５（ａ）のハッチング領域）。そこに、電装部５０を紙面上方から挿入する。この際、電装部５０は外部端子２５が底面側（紙面上側）となるようにして挿入する。すると、図５（ｂ）の状態になる。
次に、図５（ｂ）の状態において、移動子４０を紙面上方から嵌め込む。この際、移動子４０は付勢部材３４を誘導するガイド片４３が底面側すなわち紙面上側に来るようにする。なお、移動子４０には四隅に挿入孔が形成されている。この挿入孔は、リフレクタ４１から延びるように設けられたガイド突起２６、および被挿入孔２７と対応するような位置に設けられている。なお、図５（ｂ）ではガイド突起２６，２６と被挿入孔２７，２７は互いに対角線状となるように配置されているが、特にこれには限定されない。ここで、ガイド突起２６，２６はそれぞれ移動子４０の挿入孔に挿入される。これにより、移動子４０の仮の位置決めがなされる。次に、移動子４０の残りの２つの挿入孔と、リフレクタ４１の被挿入孔２７，２７とを締結部材５４で締結する。締結部材５４の種類は特に限定されないが、例えばタップタイトねじを用いることができる。すると、図５（ｃ）の状態になる。
次に、図５（ｃ）の状態において、付勢部材３４を移動子４０の上方から嵌め込む。この際、付勢部材３４をガイド片４３がその内側に入るようにして嵌め込む。すると、図６（ａ）の状態になる。
【００４０】
次に、図６（ａ），図６（ｂ）を参照しながら、引き続き本発明の一実施形態にかかる照光式押圧スイッチの組立工程を説明する。
図６（ａ）の状態において、底面部７０を紙面上方から嵌め込む。前記した通り、底面部７０はその前後方向の側面に位置決め突起７２を備えている。また、係入片７１が位置決め突起７２を挟むようにして底面部７０の前側の側面に２箇所、後ろ側の側面に２箇所、合計４箇所備えられている（図３も併せて参照のこと）。ゆえに、筺体２２の側筒部６０に底面部７０を嵌め込む際は、前側の位置決め突起７２が前側の係止凹部６２に、後ろ側の位置決め突起７２が後ろ側の係止凹部６２に係合留めされるように嵌め込む。また、係入孔６３と対応する位置にある係入片７１がそれぞれ確実に係合留めされるようにして嵌め込む。すると、図６（ｂ）の状態になる。
次に、図６（ｂ）の状態において、光拡散膜３２と、透明蓋３１とを矢印の向きに沿うようにして横からスライドさせるようにして挿入する。この様子を図７（ａ）〜図７（ｆ）においてさらに詳しく説明する。なお、図６（ｂ）の状態において、筺体２２は、外部端子２５に紙面上方（すなわち底面側）から接続端子１８（図２参照）を接続可能なように、紙面上方に開口した形状を呈している。
【００４１】
図７（ａ）〜図７（ｆ）は本発明の一実施形態にかかる照光式押圧スイッチの透明蓋がリフレクタと係り合う様子をそれぞれ説明する図である。図７（ａ），図７（ｃ），図７（ｅ）は斜視図、図７（ｂ），図７（ｄ），図７（ｆ）はそれぞれ図７（ａ），図７（ｃ），図７（ｅ）に対応する側面図である。なお、図７（ａ），図７（ｃ），図７（ｅ）は図６（ｂ）の状態から上下を反転させて元の状態に戻し、右側面が左方にくるようにして後ろ側から見た場合の斜視図である。また、図７（ａ）〜図７（ｆ）においては光拡散膜３２の図示を省略しているが、光拡散膜３２はリフレクタ４１と透明蓋３１との間に予め忍ばせておき、透明蓋３１のスライド移動に伴って一緒に介装するようにすればよい。
【００４２】
図７（ａ）〜図７（ｆ）に示すように、リフレクタ４１の左右のレール片４４にはそれぞれ、下方に突出するようにされた小突起の係止片（第２の突起）４８が設けられている（図７（ａ）〜図７（ｆ）では右側の係止片４８のみ図示）。この係止片４８は、略くさび形形状を呈しており、前方から後方に向けて徐々に広がるようにして設置されている。また、透明蓋３１には係止片４８と対応する位置に係入孔３３として切り欠きが設けられている。この状態で、図７（ａ）または図７（ｂ）に示す実線矢印の向きに横から透明蓋３１をレール片４４に沿ってスライドさせる（図７（ｃ）または図７（ｄ）参照）。すると、途中で透明蓋３１のレール係合突起３５が係止片４８を巻き込んで下方へ乗り上げる。しかし、係止片４８は前記した通り小突起であるので、乗り上げたまま引き続き透明蓋３１を後方へスライドさせることができる。そして、係入孔３３に係止片４８が係合留めされる（図７（ｅ）または図７（ｆ）を参照）。すると、係止片４８の略くさび形で後方に向かうにつれて広がった形状すなわちレール片４４に対して側面視で下方に切り立った形状の小突起が、透明蓋３１の前方へのスライド移動を規制するストッパーの役割を果たすようになる。換言すると、係入孔３３および係止片４８は、透明蓋３１のスライド移動の戻りを規制する規制部となっている。また前記した通り透明蓋３１は、その周縁のうち前周縁部分に、リフレクタ４１のレール片４４を覆うようにして押圧面２１に対して移動子４０の移動方向すなわち下方に延び出る蓋周縁部３６が設けられている。この蓋周縁部３６が、透明蓋３１の後方へのスライド移動を規制するストッパーの役割を果たす。以上のようにして、透明蓋３１がリフレクタ４１と係り合う。また、このようにして、本実施形態にかかる照光式押圧スイッチ２０の組み立てが完了する。
【００４３】
（作用・効果）
本実施形態にかかる遊技機用の照光式押圧スイッチの作用・効果をまとめると、以下のようになる。
図４（ｂ）などに示すように、本実施形態にかかる遊技機用の照光式押圧スイッチ２０は、透明蓋３１を押圧方向（縦方向、上下方向）ではなく押圧方向とは異なる方向（横方向、前後方向）にスライドさせてリフレクタ４１に挿入可能にする構造を有している。透明蓋３１とリフレクタ４１との上下方向の動きはレール係合突起３５によって規制される。また、透明蓋３１の後方および左右方向の動きは、蓋周縁部３６によって規制される。また、透明蓋３１の前方への動きは、係止片４８（図７（ｆ）参照）によって規制される。これによって、これまでの照光式押圧スイッチとは異なり、ゴト行為などの不正ないたずらの標的とされても、特に押圧方向（上下方向）には透明蓋３１が移動しないので、高い破壊防止効果を奏することができる。
【００４４】
また、図４（ｃ）などに示すように、本実施形態にかかる照光式押圧スイッチ２０の光拡散膜３２は、リフレクタ４１の開口Ｓよりも大きな形状を呈している。換言すると、本実施形態にかかる照光式押圧スイッチ２０は、透明蓋３１（押圧部材）とリフレクタ４１との間に、前記開口Ｓよりも大径の光拡散膜３２が備えられている。このようにすることで、光源５２から発せられた光をより広範囲に拡散させて透明蓋３１を一層広範囲に照光させることができる。
また、照光式押圧スイッチが上下方向の押圧方式であると蓋周縁部の壁面に内筒部の爪部と係り合う孔部などの係合部を形成しなければならず、透明蓋３１の壁厚（本願の蓋周縁部３６の壁厚に相当）を薄くすることができなかった。また、キートップの面サイズを大きくすると厚い周縁部の壁面よりも外側の部分において光が当たらない箇所が出来ていた。
しかし、本実施形態にかかる照光式押圧スイッチ２０は、横（水平）方向からのスライド方式となっている。これにより、少なくとも後縁部３９を省くことができている。また、蓋周縁部３６の壁面の面方向には係合部が存在しない（本実施形態の場合、係合部は蓋周縁部３６の下端から壁厚方向に突出するレール係合突起３５とした）ので、蓋周縁部３６の壁厚を従来よりも薄くすることができる。このように蓋周縁部３６をコンパクト化したので、光拡散膜３２の大きさを従来よりも大型化することができ、より一層広範囲を照光させることができる。
【００４５】
さらには、本実施形態にかかる照光式押圧スイッチ２０が例えば非押圧状態の場合は、移動子４０は上方向に付勢される。このとき、移動子４０が固定されたリフレクタ４１の係合片４５が、側筒部６０に設けられている被係合片２４に係り合う（図４（ｂ）などを参照）。ゆえに押圧面２１はフランジ部２３から押圧ストローク（実線矢印）の分だけ突出した位置の上死点で静止することになる（図４（ｃ）参照）。
この状態では、ゴト行為などの不正ないたずらの標的で透明蓋３１を例えば上下方向に工具でこじ開けようとしても、フランジ部２３より下方に設けられたリフレクタ４１の係合片４５と側筒部６０の被係合片２４との係り合いが透明蓋３１の上死点となる。これにより、透明蓋３１はこじ開けられてしまうことがない。このようにして、高い破壊防止効果を奏することができる。
なお、リフレクタ４１の係合片４５と側筒部６０の被係合片２４との係り合い部分は筺体２２の内部にあるため、ゴト行為などの不正な行為によって外部から直接この係り合いを解除することはできない。つまり筺体２２の側筒部６０を破壊しない限りリフレクタ４１の係合片４５と側筒部６０の被係合片２４との係り合い部分へ外部からはアクセスできない。
【００４６】
上記した一実施形態は本発明を分かりやすくするために詳細に説明したものであり、必ずしも、説明した全ての構成を備えるものに限定されるものではない。
【００４７】
また、ある一実施形態の構成の一部を他の一実施形態の構成に置き換えることが可能であり、また、ある一実施形態の構成に、他の一実施形態の構成の一部もしくは全てを加えることも可能である。また、一実施形態の構成の一部について、他の構成の追加・削除・置換をすることが可能である。
【００４８】
例えば、透明蓋３１のスライド方向について、本実施形態にかかる照光式押圧スイッチ２０では、透明蓋３１を前から後ろに向けて横方向にスライドさせる例で説明したが、これには限定されない。例えば、透明蓋３１を後ろから前に向けてスライドさせる方式としてもよい。この場合には例えば、図３に示す蓋周縁部３６を後周縁部（後縁部３９＋側縁部３８）に設け、前縁部３７の蓋周縁部３６を省くようにする。そして、係止片４８の向きを本実施形態とは前後方向に反転させたくさび形とすればよい。また、透明蓋３１を右から左に、またはその逆で左から右に向けてスライドさせる方式とすることもできる。つまり、押圧方向とは異なる方向へのスライド方式であれば、スライドさせる方向は前→後・後→前、または左→右・右→左を問わない。さらには斜め方向であってもよい。換言すると、透明蓋３１は、遊技者の押圧動作を受けて上下移動する方向すなわち押圧方向とは異なる方向からスライドするようにリフレクタ４１に装着されて係り合う、押圧部材とすればよい。
【００４９】
また、係合片４５はリフレクタ４１の左右方向にそれぞれ１箇所設けられているとして説明したが、これには限定されない。係合片４５はリフレクタ４１の前後方向にそれぞれ１箇所設けられていてもよい。また、設置個所数もそれぞれ複数箇所に設けられるようにしてもよい。
【００５０】
検知手段５０は、筺体２２に装着されている例で説明したが、これには特に限定されない。例えば検知手段５０をリフレクタ４１と連動するようにして、本実施形態とは上下を反転させて固定する。そして、被検板４７を筺体２２から検知手段５０が設置された上方に向けて延び出る構成としてもよい。また、この場合には光源５２は検知手段５０とは反対側の面に設置するようにすればよい。
【００５１】
また、本実施形態では検知手段５０はリフレクタ４１の前側の反射面４２の下端から下方に延びる被検板４７を検知する構成で説明したが、これには限定されない。例えば、検知手段５０はリフレクタ４１の後ろ側の反射面４２の下端から下方に延びる被検板４７を検知する構成であってもよい。
【００５２】
また、本実施形態では検知手段５０は例えば赤外線を用いた無接触方式の透過型光センサを採用する場合で説明したが、電気接点方式などに置き換えることも可能である。
【００５３】
さらには、リフレクタ４１の反射面４２に導光板を採用してもよい。ここで、導光板とは、その端面から入射した光を内部伝導させるとともに、表面に刻設された溝によりこの内部伝導する光を乱反射させ、この表面に垂直な方向に光を照光させるものである。つまり、図４（ｂ）に示すように、反射面４２の側面方向に点光源である光源５２から出射された光を、反射面４２の面直方向の光源、すなわち面光源に変換するものである。
このようにすると、光透過部３０に向かって進行する光は、その面内において光強度の均一性が高くなるので、押圧面２１における照光の均一性はさらに向上する。また照光式押圧スイッチ２０の薄型化・小型化・省エネ化も実現することができるので好適である。
【符号の説明】
【００５４】
１０  遊技機、２０（２０ａ〜２０ｃ）  照光式押圧スイッチ、２１ａ  押圧される天板、２２  筐体、３１  透明蓋（押圧部材）、３２  光拡散膜、３３  係入孔（孔部）、３４  付勢部材、３５  レール係合突起（第１の突起）、３６  蓋周縁部、３９  後縁部、４１  リフレクタ、４２  反射面（光反射部材）、４８  係止片（第２の突起）、５３  検知手段、Ｓ  開口
【図１】
0006438758.tif 000002
【図２】
0006438758.tif 000003
【図３】
0006438758.tif 000004
【図４】
0006438758.tif 000005
【図５】
0006438758.tif 000006
【図６】
0006438758.tif 000007
【図７】
0006438758.tif 000008